(57)【要約】【課題】自転車やバイク等に乗った犯人にバッグをひったくられることを抑止するとともに、ひったくり行為に伴って、バッグ保持者が引っ張られて転倒したりすることを防止するようにした、ひったくり抑止のＷバッグを提供する。【解決手段】バッグの１一方の側部２にポケット状の収納部３を設け、その収納部３の一方端部に開閉部４を作って収納部内に小型バッグ５を収納するようにし、また前記一方の側部２に防犯ブザー６を取付けて短いチエン７で小型バッグ５と連結させ、且つ該防犯ブザー６を、バッグ保持者９の腰廻りのベルト１０に長いチエン８を介して連結し、さらにこの長いチエン８の途中に安全装置１１を配置し、この安全装置１１にかかる荷重によってチエン８を分断可能に設けるとともに、バッグ１の他方の側部１２に標示バッチ１３を取付けて構成する。【選択図】図１
2010012191.tif 000002
【特許請求の範囲】
【請求項１】
バッグの一方の側部にポケット状の収納部を設け、その収納部の一方端部に開閉部を作って収納部内に小型バッグを収納するようにし、また前記一方の側部に防犯ブザーを取付けて短いチエンで小型バッグと連結させ、且つ該防犯ブザーを、バッグ保持者の腰廻りのベルトに長いチエンを介して連結し、さらにこの長いチエンの途中に安全装置を配置し、この安全装置にかかる荷重によってチエンを分断可能に設けるとともに、バッグの他方の側部に標示バッチを取付けて構成したことを特徴とするひったくり抑止のＷバッグ。
【請求項２】
上記したバッグの一方の側部に防犯ブザーを複数個取付け、それぞれの防犯ブザーを連結したものを、小型バッグと短いチエンで連結し、また長いチエンにも連結して構成したことを特徴とする請求項１に記載のひったくり抑止のＷバッグ。
【発明の詳細な説明】
【技術分野】
【０００１】  この発明は、肩かけ、手提などにかかわらず、バッグ、かばん、袋物等にもう１個の小型バッグを組合せて一体となしたものに、防犯ブザー、チエン等を組入れて成るひったくり抑止のＷバッグに関するものである。
【背景技術】
【０００２】  最近、テレビ、新聞などで街頭犯罪に関する記事、報道が多く、特に社会的弱者と言われる老人や婦女子を狙うひったくりは卑劣で許し難いものである。一般的な予防手段としてはバッグの襷かけ、車道側に持たない、自転車の前かごの網かけ等があり、いずれも効果は大であるが、それでもこのような犯罪はなかなかなくならない。
【発明の開示】
【発明が解決しようとする課題】
【０００３】  これには色々な理由があるが、ひとつの理由としては、犯行が機動力を使って行われる点にある。すなわち犯人は、後方から自転車やバイク等で追い抜きざまにバッグをひったくると、猛スピードで逃走してしまうからである。
本発明は、以上の不安を解決するためになされたものである。
【課題を解決するための手段】
【０００４】  請求項１に記載の本発明は、バッグの一方の側部にポケット状の収納部を設け、その収納部の一方端部にバネ付き蝶番で開閉できる開閉部を作り、ポケット状の収納部の中に小型バッグを収納させる。バッグの一方の側部に市販の防犯ブザーを取付け、短いチエンで小型バッグと連結させる。市販の防犯ブザーは長いチエンにも連結している。長いチエンはバッグ保持者の腰廻りのベルトにつながっている。長いチエンにはこのチエンにかかる荷重によって分断できる安全装置が設けてある。バッグの他方の側部には標示バッチを取付けて成るものである。【０００５】  請求項２に記載の本発明は、請求項１に記載のひったくり抑止のＷバッグにおいて、上記したバッグの一方の側部に防犯ブザーを複数個取付け、それぞれの防犯ブザーを連結したものを、小型バッグと短いチエンで連結し、また長いチエンにも連結して成るものである。【０００６】  本発明は、以上の構成よりなるひったくり抑止のＷバッグである。
【発明の効果】
【０００７】  本発明を使用することにより、ひったくり犯人がひったくったバッグは、狙った目的の財布、すなわち現金の入った小型バッグが抜け落ちた後の空っぽのバッグであって、危険をおかして犯行に及んだ意味がないし、また狙われた人が、バッグを奪われまいとして手でしっかり持ち続けて、引きずられたり転倒して重傷を負うという痛ましい事故など、どちらも減少するという効果がある。またこのバッグを持った本人が、自分でバッグのチエンを引っ張って防犯ブザーを鳴らすこともできる。さらに請求項２に記載の防犯ブザーを複数個取付けたバッグを持っていれば、その大音量が周囲に異変を知らせるので、不測の事態には有効かと思われる。こうした機能を持ったＷバッグが外観で一目でわかれば、犯罪の抑止になると思われるので、少しでも安全で明るい街づくりに貢献できればと願っている。
以上のように、この発明の効果は大きいと思われる。
【発明を実施するための最良の形態】
【０００８】  以下、本発明の実施の形態を説明するが、図１〜図４は本発明の構成を示し、また図５および図６は、安全装置の内部構造を示すものである。
（イ）バッグ１の一方の側部２（図１で示す正面側の側部）にポケット状の収納部３を設      ける。
（ロ）ポケット状の収納部３の一方端部（図１における右寄りの端部）に、バネによる蝶      番で開閉できる開閉部４を設ける。
（ハ）ポケット状の収納部３の内部に小型バッグ５を収納し、その中に財布、貴重品を入      れる。
（ニ）バッグ１の一方の側部２（すなわちポケット状収納部３を設けた方の側部）に市販      の防犯ブザー６を取付け、短いチエン７を用いて小型バッグ５と連結する。
（ホ）市販の防犯ブザー６は長いチエン８にも連結している。
（ヘ）長いチエン８の途中には、このチエンにかかる荷重によって分断する安全装置１１      が設けてある。
（ト）長いチエン８はバッグ保持者９の腰廻りのベルト１０につながっている。
（チ）安全装置１１は、バッグ１のポケット状の収納部３に収納されている小型バッグ５      が何かの不具合で長いチエン８によって外部に引き抜かれなかった時、バッグ保持      者９が長いチエン８によって引っ張られて転倒するのを防ぐため、あらかじめバッ      グ保持者９の年令、性別、体重などを考慮して調節しておき、負荷が大になった場      合には、自動的に分断するようにしておく。
（リ）バッグ１の他方の側部１２（図２で示す背面側の側部）にＷバッグを示す標示バッ      チ１３を付ける。【０００９】  次に、安全装置１１の構造について説明する。
安全装置１１におけるボックス２１の下部に固着した板２２と向き合う形の移動する板２５には、それぞれ密着するオスとメスの面ファスナー２３，２４を固着させる。面ファスナーを固着した上下の向き合った板は、竜頭２９を廻すことにより、オスネジ２８がメスネジ２７によって上下し、押え台２６を上下に動かす。前記上下の板２２，２５は、押え台２６によってきつく押さえられると上下が密着して離れなくなり、ゆるめると動くようになっている。この締め付け具合によって上の板２５はボックス２１から抜けて左右のチエン８は切り離される。したがってあらかじめその人に合ったねじ締めをしておくことにより、安全が保たれる。【００１０】  本発明における他の実施形態は、上記したバッグ１の一方の側部２に防犯ブザー６を複数個取付け、それぞれの防犯ブザー６を連結したものを、小型バッグ５と短いチエン７で連結し、また長いチエン８にも連結する。【００１１】  本発明は以上のような構成よりなっている。
本発明を使用する場合は、犯人がバイクなどで後方から追い抜きざまにバッグをひったくると、バッグ保持者の腰廻りのベルトに結ばれたチエンがバッグを引っ張るので、まずバッグに取付けられた防犯ブザーが鳴り響き、続いてチエンに連結している小型バッグがバッグから抜け落ちる。犯人は、防犯ブザーと小型バッグの抜け落ちたバッグを持ち去ることになる。
【図面の簡単な説明】
【００１２】
【図１】本発明に成るひったくり抑止のＷバッグを示す正面図である。
【図２】図１の背面図である。
【図３】図１の平面図である。
【図４】図１の側面図である。
【図５】安全装置を正面視した状態における内部構造を示す一部断面説明図である。
【図６】安全装置を側面視した状態における内部構造を示す一部断面説明図である。
【符号の説明】
【００１３】１  バッグ
２，１２  バッグの側部
３  ポケット状の収納部
４  開閉部
５  小型バッグ
６  防犯ブザー
７，８  チエン
９  バッグ保持者
１０  ベルト
１１  安全装置
１３  標示バッチ
２１  ボックス
２２，２５  板
２３，２４  面ファスナー
２６  押え台
２７，２８  ネジ
２９  竜頭
【図１】
2010012191.tif 000003
【図２】
2010012191.tif 000004
【図３】
2010012191.tif 000005
【図４】
2010012191.tif 000006
【図５】
2010012191.tif 000007
【図６】
2010012191.tif 000008